(57)【要約】【目的】字形のみならず文字の属性情報をも加味して利用者がより精密に解読することが可能な出土文字資料解読システム及び解読装置を提供すること。【構成】第１の装置が、第１の選択手段と、第１の送信手段と、第１の受信手段と、第２の選択手段と、第２の送信手段と、第２の受信手段を具備し、第２の装置が、第３の受信手段と、文字認識検索手段と、第３の送信手段と、第４の受信手段と、選択結果絞込み手段と、第４の送信手段と、データ保存手段とから構成される。【選択図】        図１
2017122952.tif 000002
【特許請求の範囲】
【請求項１】
通信回線を介して接続される第１、第２の装置からなる出土文字資料解読システムであって、
第１の装置が、文字画像を選択する第１の選択手段と、当該第１の選択手段で選択された文字画像を上記第２の装置へ送信する第１の送信手段と、上記第２の装置における後記文字認識検索手段が認識及び検索した複数の検索結果文字画像及び当該文字画像で示される文字の属性情報を受信する第１の受信手段と、当該受信した複数の属性情報の中から該当する情報を複数回選択し、順次絞り込んでいく第２の選択手段と、選択した結果を第２の装置に送信する第２の送信手段と、後記第２の装置の選択結果絞込み手段により絞り込まれた結果を受信する第２の受信手段を具備し、
第２の装置が、上記第１の送信手段で送信された文字画像を受信する第３の受信手段と、当該受信した文字画像を認識し、複数の類似文字画像を後記データ保存手段から検索する文字認識検索手段と、検索結果文字画像及び当該文字画像で示される文字の属性情報を第１の装置に送信する第３の送信手段と、上記第１の装置の第２の選択手段で選択された結果を受信する第４の受信手段と、第４の受信手段で受信した選択結果に基づき絞り込む選択結果絞込み手段と、当該選択結果絞込み手段で絞り込まれた選択結果文字画像及び当該文字画像で示される文字の属性情報を第１の装置に送信する第４の送信手段と、予め各種文字画像が保存されると共に、当該各種文字画像で示される文字の属性情報が保存されるデータ保存手段とから構成される、
ことを特徴とする出土文字資料解読システム。
【請求項２】
通信回線を介して接続される第１、第２の装置からなる出土文字資料解読装置であって、
第１の装置が、文字画像を選択する第１の選択手段と、当該第１の選択手段で選択された文字画像を上記第２の装置へ送信する第１の送信手段と、上記第２の装置における後記文字認識検索手段が認識及び検索した複数の検索結果文字画像及び当該文字画像で示される文字の属性情報を受信する第１の受信手段と、当該受信した複数の属性情報の中から該当する情報を複数回選択し、順次絞り込んでいく第２の選択手段と、選択した結果を第２の装置に送信する第２の送信手段と、後記第２の装置の絞込み手段により絞り込まれた結果を受信する第２の受信手段を具備し、
第２の装置が、上記第１の送信手段で送信された文字画像を受信する第３の受信手段と、当該受信した文字画像を認識し、複数の類似文字画像を後記データ保存手段から検索する文字認識検索手段と、検索結果文字画像及び当該当該文字画像で示される文字の属性情報を第１の装置に送信する第３の送信手段と、上記第１の装置の第２の選択手段で選択された結果を受信する第４の受信手段と、第４の受信手段で受信した選択結果に基づき絞り込む選択結果絞込み手段と、当該選択結果絞込み手段で絞り込まれた選択結果文字画像及び当該文字画像で示される文字の属性情報を第１の装置に送信する第４の送信手段と、予め各種文字画像が保存されると共に、当該各種文字画像で示される文字の属性情報が保存されるデータ保存手段とから構成される、
ことを特徴とする出土文字資料解読装置。
【発明の詳細な説明】
【技術分野】
【０００１】
本発明は木簡や墨書土器などの発掘調査等で出土した文字資料を解読するためのシステム及び装置に関し、より詳しくはインターネット上に公開された文字資料のデータベースを利用者が利用することで、更に解読の精度を高めていくことが可能な解読システム及び解読装置に関する。
【背景技術】
【０００２】
木簡など出土文字資料の歴史資料としての重要性が認識されるようになって久しい。ことに、木片に文字が記載された木簡は出土件数が非常に多く、古代史の解明のためにその解読が重要となる。
【０００３】
かかる木簡に書かれた文字を解読するためのシステムとして、特許文献１には欠損を伴った手書き文字を解読する文字認識システムが開示されている。
【先行技術文献】
【特許文献】
【０００４】
【特許文献１】特開２０１０−２１１３４６号公報
【発明の概要】
【発明が解決しようとする課題】
【０００５】
木簡などの古代文字資料の解読には困難なものが多い、これまで読めたかった文字の場合、既存の文字画像データベースではテキスト入力でしか検索できないため、ある程度の見当のつくものしか検索できなかった。
【０００６】
そこで本発明は、画像データとして字形で検索することを可能とすると共に、字形のみならず文字の属性情報をも加味して利用者がより精密に解読することが可能な出土文字資料解読システム及び解読装置を提供することを目的とする。
【課題を解決するための手段】
【０００７】
上記の目的を達成する本考案の構成は以下の通りである。
【０００８】
（１) 請求項１に記載の発明は、通信回線を介して接続される第１、第２の装置からなる出土文字資料解読システムであって、第１の装置が、文字画像を選択する第１の選択手段と、当該第１の選択手段で選択された文字画像を上記第２の装置へ送信する第１の送信手段と、上記第２の装置における後記文字認識検索手段が認識及び検索した複数の検索結果文字画像及び当該文字画像で示される文字の属性情報を受信する第１の受信手段と、当該受信した複数の属性情報の中から該当する情報を複数回選択し、順次絞り込んでいく第２の選択手段と、選択した結果を第２の装置に送信する第２の送信手段と、後記第２の装置の選択結果絞込み手段により絞り込まれた結果を受信する第２の受信手段を具備し、第２の装置が、上記第１の送信手段で送信された文字画像を受信する第３の受信手段と、当該受信した文字画像を認識し、複数の類似文字画像を後記データ保存手段から検索する文字認識検索手段と、検索結果文字画像及び当該文字画像で示される文字の属性情報を第１の装置に送信する第３の送信手段と、上記第１の装置の第２の選択手段で選択された結果を受信する第４の受信手段と、第４の受信手段で受信した選択結果に基づき絞り込む選択結果絞込み手段と、当該選択結果絞込み手段で絞り込まれた選択結果文字画像及び当該文字画像で示される文字の属性情報を第１の装置に送信する第４の送信手段と、予め各種文字画像が保存されると共に、当該各種文字画像で示される文字の属性情報が保存されるデータ保存手段とから構成される。
【０００９】
（２) 請求項２に記載の発明は、通信回線を介して接続される第１、第２の装置からなる出土文字資料解読装置であって、第１の装置が、文字画像を選択する第１の選択手段と、当該第１の選択手段で選択された文字画像を上記第２の装置へ送信する第１の送信手段と、上記第２の装置における後記文字認識検索手段が認識及び検索した複数の検索結果文字画像及び当該文字画像で示される文字の属性情報を受信する第１の受信手段と、当該受信した複数の属性情報の中から該当する情報を複数回選択し、順次絞り込んでいく第２の選択手段と、選択した結果を第２の装置に送信する第２の送信手段と、後記第２の装置の絞込み手段により絞り込まれた結果を受信する第２の受信手段を具備し、第２の装置が、上記第１の送信手段で送信された文字画像を受信する第３の受信手段と、当該受信した文字画像を認識し、複数の類似文字画像を後記データ保存手段から検索する文字認識検索手段と、検索結果文字画像及び当該当該文字画像で示される文字の属性情報を第１の装置に送信する第３の送信手段と、上記第１の装置の第２の選択手段で選択された結果を受信する第４の受信手段と、第４の受信手段で受信した選択結果に基づき絞り込む選択結果絞込み手段と、当該選択結果絞込み手段で絞り込まれた選択結果文字画像及び当該文字画像で示される文字の属性情報を第１の装置に送信する第４の送信手段と、予め各種文字画像が保存されると共に、当該各種文字画像で示される文字の属性情報が保存されるデータ保存手段とから構成される。
【発明の効果】
【００１０】
上記のように構成される本発明が、如何に作用して課題を解決するかを図面を参照しながら概説する。
【００１１】
図１は本発明の概略説明図である。第１の装置１００はパーソナルコンピューター（以下、パソコンと称する）やスマートフォンなどのユーザー端末であり、インターネット等のネットワークを介してサーバコンピュータである第２の装置２００とデータ情報を伝送、交換可能に接続されている。かかる本発明により、文字を解読していく工程を以下に示す。
【００１２】
ユーザーが第１の選択手段１０１で、ハードディスク等に保存された木簡に書かれた出土文字資料等の画像データを選択し、ディスプレイ上に解読対象である文字画像３００が表示された状態を示すのが図２である。
【００１３】
かかる文字画像３００のデータを第１の送信手段１０２で第２の装置２００に送信する。この画像データは第２の装置の第３の受信手段２０１で受信され、文字認識検索手段２０２において、画像が認識されると共に、データ保存手段２０３に保存されたデータを参照して検索される。
【００１４】
検索され類似すると判断された複数の類似画像の画像データ及び当該類似画像の属性情報は、第３の送信手段２０４により第１の装置１００に送信される。かかるデータは第１の装置１００の第１の受信手段１０３で受信される。
【００１５】
この受信されたデータをディスプレイ上に表示すると共に後述の第２の選択手段１０４で選択した状態を示すのが図３である。ディスプレイ上には類似画像３０１ａ，３０１ｂ，３０１ｃ，３０１ｄ，３０１ｅが表示されると共に、当該類似画像の属性情報が併せて表示される。属性情報としては例えば当該画像が該当する文字（図中「文字」）、記載されていた文書や木簡(図中「出典」）、字体の情報（図中「字体」）、当該文字が使用されていた時代(図中「時代」)、当該文字の部品(図中「部品」）、当該文字の意味(「意味」)などが表示される。
【００１６】
これら属性情報の中から、ユーザーが解読対象の文字が有する属性を第２の選択手段１０４で選択する。図３においては、「時代」の属性における「７世紀」を選択した状態を示している。かかる選択結果を第２の送信手段１０５で第２の装置２００の第４の受信手段２０５に送信し、選択結果絞込み手段２０６で「時代」が「７世紀」の二つの候補に絞り込む。絞り込まれた二つの類似画像３０１ａ，３０１ｃの画像データ及び属性情報を第４の送信手段２０７で第１の装置１００の第２の受信手段１０６に送信し、当該送信された結果をディスプレイ上に表示したのが図４である。
【００１７】
この絞り込まれた画像の属性情報の中から、ユーザーが解読対象の文字が有する属性を再度第２の選択手段１０４で選択する。図４においては、「部品」の属性における「邑」を選択した状態を示している。かかる選択結果を再度第２の送信手段１０５で第２の装置２００の第４の受信手段２０５に送信し、選択結果絞込み手段２０６で「部品」が「邑」の候補一つに絞り込み、解読が完了する。この解読結果である画像３０１ａの画像データを及び属性情報を第４の送信手段２０７で第１の装置１００の第２の受信手段１０６に送信し、当該送信された結果を解読結果としてディスプレイ上に表示したのが図５である。
【００１８】
なお、上記第２の選択手段１０４以降の絞込み工程は、上記例示では２回行っているが、むろん属性情報に基づき１回の絞込みで解読可能であれば１回の工程で良いし、３回以上の工程が必要な場合もある。
【００１９】
上述の通り本発明によればユーザーが既知の情報に基づき属性情報を選択していくことで、より精度の高い解読が可能となるのである。
【図面の簡単な説明】
【００２０】
【図１】本発明の概略説明図
【図２】パソコンディスプレイ画面を示す説明図
【図３】パソコンディスプレイ画面を示す説明図
【図４】パソコンディスプレイ画面を示す説明図
【図５】パソコンディスプレイ画面を示す説明図
【図６】本発明の実施例の処理フローチャート
【図７】第１の装置のブロック図
【図８】第２の装置のブロック図
【発明を実施するための形態】
【００２１】
以下、好ましい発明の一実施形態につき、図面を参照しながら概説する。なお、本発明の実施の形態は、下記の実施形態に何ら限定されることはなく、本発明の技術的範囲に属
する限り種々の形態を採りうる。 
本発明は第１の装置及び第２の装置より成るものである。
【００２２】
第１の装置１００はインターネット等のネットワークに接続可能なパソコンやスマートファン、各種タブレット等のユーザー端末であり、例えば、ハードウエアとして、ＣＰＵ等のマイクロプロセッサ、ランダムアクセスメモリ（ＲＡＭ）およびリードオンリメモリ（ＲＯＭ）等のメモリ（一次記憶装置）、二次記憶装置（ハードディスクドライブ、ソリッドステートドライブ、フラッシュメモリなど）、各種Ｉ／Ｏ（入出力）インタフェース、ローカルエリアネットワークなどのネットワークとの接続のための制御を行うネットワークインタフェース等が、例えばバスを介して接続された回路構成を有するものであり、選択された画像データをインターネット等の通信回線を介して第２の装置２００に送信したり、あるいは第２の装置２００から通信回線を介して送信されてきた画像を表示するものである。すなわち、図７に示すように第１の装置１００はユーザー側制御部１１０、ユーザー側一時記憶１２０、入力表示部１３０、ユーザー側通信部１４０、入力部１５０その他の部を含む。
【００２３】
第２の装置２００はインターネット等のネットワークに接続可能なサーバコンピュータであり、例えば、ハードウエアとして、ＣＰＵ等のマイクロプロセッサ、ランダムアクセスメモリ（ＲＡＭ）およびリードオンリメモリ（ＲＯＭ）等のメモリ（一次記憶装置）、二次記憶装置（ハードディスクドライブ、ソリッドステートドライブ、フラッシュメモリなど）、各種Ｉ／Ｏ（入出力）インタフェース、ローカルエリアネットワークなどのネットワークとの接続のための制御を行うネットワークインタフェース等が、例えばバスを介して接続された回路構成を有するものであり、第１の装置１００から通信回線を介して送信きた画像を受信し、あるいは検索結果画像を第１の装置に送信するものである。すなわち、図８に示すように第２の装置２００はサーバ側制御部２１０、サーバ側一時記憶部２２０、サーバ側通信部２３０、データ処理部２４０及びその他の部を含む。
【００２４】
図６は本発明の実施例の処理フローチャートを示すものである。以下、ステップごとに詳述する。
【００２５】
第１の装置１００のユーザー側一時記憶部１２０である一時記憶装置或いは二次記憶装置に保存された解読対象の出土文字画像のデータを、ユーザー側制御部１１０が読み取り（ステップ４００「第１の選択手段で選択」）、ディスプレイ等の入力表示部１３０に表示する（ステップ４０１「取り込んだ画像を表示」）。
【００２６】
ネットワークインタフェースであるユーザー側通信部１４０で、インターネット等のネットワークを介して第２の装置２００に送信する（ステップ４０２「第１の送信手段で送信」）。
【００２７】
第２の装置２００は、ステップ４０２で送信されてきた画像データを、ネットワークインタフェースであるサーバ側通信部２３０で受信する（ステップ４０３「第３の受信手段で受信」）。
【００２８】
当該受信した画像データはＯＣＲ（光学文字認識）等のアプリケーションである文字認識検索手段により解読されると共に、サーバ側一時記憶部２２０（一時記憶装置或いは二次記憶装置）であるデータ保存手段２０３内に保存された、既に解読された出土文字画像の中から類似画像が検索される（ステップ４０４「文字認識検索手段で検索」）。具体的には、サーバ側データ処理部２４０は、ＲＯＭ／ＲＡＭに記録されているＯＣＲ（光学文字認識）等のアプリケーションである文字認識検索手段で、解読対象の文字の文字パターン（字体）を検索キーとして、既に解読済みの文字パターン群が記憶されたサーバ側一時記憶部２２０から類似文字パターンを探し出すパターンマッチングを行うものである。
【００２９】
データ保存手段２０３には解読済みの文字と共に当該文字の属性情報も記憶されている。ステップ４０４で検索された類似文字画像と当該類似文字画像の属性情報は、ネットワークインタフェースであるサーバ側通信部２３０によりインターネット等のネットワークを介して第１の装置１００に送信される（ステップ４０５「第３の送信手段で送信」）。
【００３０】
第１の装置１００は、ステップ４０５で送信されてきた画像データ及び属性情報を、ネットワークインタフェースであるユーザー側通信部１４０で受信し（ステップ４０６「第１の受信手段で受信」）、ディスプレイ等の入力表示部１３０に表示する（ステップ４０７「画像と属性情報を表示」）。
【００３１】
ユーザーは、入力表示部１３０に表示された属性情報から希望する属性情報を、ユーザー側制御部１１０で選択し（ステップ４０８「第２の選択手段で選択」）、選択結果をネットワークインタフェースであるユーザー側通信部１４０で、インターネット等のネットワークを介して第２の装置２００に送信する（ステップ４０９「第２の送信手段で送信」）。
【００３２】
第２の装置２００は、ステップ４０９で送信されてきた画像データ及び属性情報を、ネットワークインタフェースであるサーバ側通信部２３０で受信する（ステップ４１０「第４の受信手段で受信」）。当該受信した画像データ及び属性情報に基づきサーバ側制御部２１０で絞込み、（ステップ４１１「選択結果の絞込み」）、当該絞り込んだ結果を、ネットワークインタフェースであるサーバ側通信部２３０によりインターネット等のネットワークを介して第１の装置１００に送信する（ステップ４１２「第４の送信手段で送信」）。
【００３３】
第１の装置１００は、ステップ４１２で送信されてきた画像データ及び属性情報を、ネットワークインタフェースであるユーザー側通信部１４０で受信し（ステップ４１３「第２の受信手段で受信」）、ディスプレイ等の入力表示部１３０に表示する（ステップ４１４「画像と属性情報を表示」）。この段階で候補が一つに絞られ解読が完了していれば終了し、候補が二つ以上存在し解読が完了していない場合は再度ステップ４０８以降の工程を繰り返すことになる。
【符号の説明】
【００３４】
１００・・第１の装置              １０１・・第１の選択手段      
１０２・・第１の送信手段          １０３・・第１の受信手段
１０４・・第２の選択手段          １０５・・第２の送信手段
１０６・・第２の受信手段          ２００・・第２の装置
２０１・・第３の受信手段          ２０２・・文字認識検索手段
２０３・・データ保存手段          ２０４・・第３の送信手段
２０５・・第４の受信手段          ２０６・・選択結果絞込み手段
２０７・・第４の送信手段
【図１】
2017122952.tif 000003
【図２】
2017122952.tif 000004
【図３】
2017122952.tif 000005
【図４】
2017122952.tif 000006
【図５】
2017122952.tif 000007
【図６】
2017122952.tif 000008
【図７】
2017122952.tif 000009
【図８】
2017122952.tif 000010